【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
安全網（１００，２００，３００）を製造する方法であって、
−先ず、それぞれ少なくとも１つのロープ（１０４，２０４，３０４）から、少なくとも第１網要素（１０１，２０１，３０１）と、少なくとも第２網要素（１０２，２０２，３０２）とを、自己完結状態で個々に製造し、こうして製造された該網要素が、それぞれ少なくとも２つのロープ部分（１０４ａ，２０４ａ，３０４ａ及び１０４ｂ，２０４ｂ，３０４ｂ）が交差する複数のロープ接合部（１０５，１０５’，２０５，２０５’，３０５，３０５’）を有するように、前記第１網要素（１０１，２０１，３０１）及び前記第２網要素（１０２，２０２，３０２）のロープ（１０４，２０４，３０４，１０４’，２０４’，３０４’）を案内し、
−前記第１網要素（１０１，２０１，３０１）の第１網縁部（１０６，２０６，３０６）が前記第２網要素（１０２，２０２，３０２）の第２網縁部（１０６’，２０６’，３０６’）に面するように、該第１網要素（１０１，２０１，３０１）と該第２網要素（１０２，２０２，３０２）とを、互いに平行に、且つ、形成されるべき安全網（１００，２００，３００）の長手方向（Ｌ）に所定の間隔で配置し、
前記第１網要素（１０１，２０１，３０１）は、前記第１網縁部（１０６，２０６，３０６）に配置された複数の第１ロープ縁部（１０７，２０７，３０７）を有し、
前記第１ロープ縁部は、それぞれ２つのロープ接合部（１０５，２０５，３０５）の間で延在し、前記第２網縁部（１０６’，２０６’，３０６’）に面しており、
前記第２網要素（１０２，２０２，３０２）は、前記第２網縁部（１０６’，２０６’，３０６’）内に配置された複数の第２ロープ縁部（１０７’，２０７’，３０７’）を有し、
前記第２ロープ縁部は、それぞれ２つのロープ接合部（１０５，１０５’，２０５，２０５’，３０５，３０５’）の間で延在し、前記第１網縁部（１０６，２０６，３０６）に面し、
−次いで、少なくとも１つの結合用ロープ（１０８，２０８，３０８）を用いて、前記第１網要素（１０１，２０１，３０１）の第１ロープ縁部（１０７，２０７，３０７）の少なくとも一部を、前記第２網要素（１０２，２０２，３０２）の、前記第１ロープ縁部（１０７，２０７，３０７）に面する前記第２ロープ縁部（１０７’，２０７’，３０７’）の少なくとも一部に結合し、
−それぞれ少なくとも２つの結合用ロープ部分（１０８ａ，２０８ａ，３０６ａ及び１０８ｂ，２０８ｂ，３０６ｂ）が交差する複数の結合用ロープ接合部（１０９，２０９，３０９）を有する自己完結型の結合用網要素（１０３，２０３，３０３）が得られるように、前記第１網要素（１０１，２０１，３０１）と前記第２網要素（１０２，２０２，３０２）との間に、前記少なくとも１つの結合用ロープ（１０８，２０８，３０８）を案内する、方法。
【請求項２】
少なくとも前記第１網要素（１０１，２０１，３０１）と前記第２網要素（１０２，２０２，３０２）とを、それぞれ１つのロープ（１０４，１０４’，２０４，２０４’，３０４，３０４’）から製造する、請求項１に記載の方法。
【請求項３】
前記第１網要素（１０１，２０１，３０１）と前記第２網要素（１０２，２０２，３０２）との間に、１つの結合用ロープ（１０８，２０８，３０８）を案内する、請求項１又は２に記載の方法。
【請求項４】
前記第１網要素（１０１，２０１，３０１）及び前記第２網要素（１０２，２０２，３０２）のロープ縁部（１０７，１０７’，２０７，２０７’，３０７，３０７’）の各々と、前記結合用ロープ（１０８，２０８，３０８）との結合を、ルーピングにより、溶接により、ガイド手段を用いて、および／又は、クランプ手段を用いて、実現する、請求項１から３までのいずれか１項に記載の方法。
【請求項５】
前記第１網要素（１０１，２０１，３０１）の第１網縁部（１０６，２０６，３０６）、及び／又は前記第２網要素（１０２，２０２，３０２）の第２網縁部（１０６’，２０６’，３０６’）は、前記結合用網要素（１０３，２０３，３０３）の結合用ロープ（１０８，２０８，３０８）に対して運動可能である、請求項１から４までのいずれか１項に記載の方法。
【請求項６】
前記第１網要素（１０１，２０１，３０１）のロープ（１０４，２０４，３０４）の端部、前記第２網要素（１０２，２０２，３０２）のロープ（１０４’，２０４’，３０４’）の端部、および、結合用網要素（１０３，２０３，３０３）の結合用ロープ（１０８，２０８，３０８）の端部の少なくとも一方を、それぞれ向き合わせ、永久結合手段（１１２，２１２）によって、自己完結する、請求項１から５までのいずれか１項に記載の方法。
【請求項７】
−前記ロープ（１０４，１０４’，２０４，２０４’，３０４，３０４’）の交差ロープ部分（１０４ａ，１０４ａ’，２０４ａ，２０４ａ’，３０４ａ，３０４ａ’及び１０４ｂ，１０４ｂ’，２０４ｂ，２０４ｂ’，３０４ｂ，３０４ｂ’）、
−前記ロープ接合部（１０５，１０５’，２０５，２０５’，３０５，３０５’）の少なくとも一部、及び／又は前記結合用ロープ（１０８，２０８，３０８）の交差ロープ部分（１０８ａ，１０８ｂ，２０８ａ，２０８ｂ，３０８ａ，３０８ｂ）、及び、
−前記結合用ロープ接合部（１０９，２０９，３０９）の少なくとも一部
は、溶接、ポッティング、フェルール、及び／又はクランプによって、結合される、請求項１から６までのいずれか１項に記載の方法。
【請求項８】
前記網要素（１０１，２０１，３０１，１０２，２０２，３０２）及び／又は前記結合用網要素（１０３，２０３，３０３）の製造のために、鋼のワイヤロープを使用する、請求項１から７までのいずれか１項に記載の方法。
【請求項９】
前記第１網要素（１０１，２０１，３０１）と前記第２網要素（１０２，２０２，３０２）とを、サイズ及び形状に関して同一構造で製造する、請求項１から８までのいずれか１項に記載の方法。
【請求項１０】
前記第１網要素（１０１，２０１，３０１）と、前記第２網要素（１０２，２０２，３０２）と、前記結合用網要素（１０３，２０３，３０３）とを、サイズ及び形状に関して同一構造で製造する、請求項９に記載の方法。
【請求項１１】
製造された前記網要素の各々が、前記安全網（１００）の長手方向（Ｌ）に複数行（Ｒ）のロープ接合部（１０５，１０５’）を有し、前記安全網（１００）の長手方向（Ｌ）に対して直角に延びる横方向（Ｑ）に複数列（Ｓ）のロープ接合部（１０５，１０５’）を有するように、前記第１網要素（１０１）及び前記第２網要素（１０２）のロープ（１０４，１０４’）を案内し、
前記安全網（１００）の横方向（Ｑ）に配置された１つの列（Ｓ）の結合用ロープ接合部（１０９）を有する自己完結型の結合用網要素（１０３）が得られるように、前記第１網要素（１０１）と前記第２網要素（１０２）との間に、前記少なくとも１つの結合用ロープ（１０８）を案内する、請求項１から９までのいずれか１項に記載の方法。
【請求項１２】
製造された前記網要素の各々が、前記安全網（２００）の長手方向（Ｌ）に対して直角に配置された横方向（Ｑ）に配置された１つの列（Ｓ）のロープ接合部（２０５，２０５’）を有するように、前記第１網要素（２０１）及び前記第２網要素（２０２）のロープ（２０４，２０４’）を案内し、
前記安全網（２００）の横方向（Ｑ）に配置された１つの列（Ｓ）の結合用ロープ接合部（２０９）を有する自己完結型の結合用網要素（２０３）が得られるように、前記第１網要素（２０１）と前記第２網要素（２０２）との間に、前記少なくとも１つの結合用ロープ（２０８）を案内する、請求項１から１０までのいずれか１項に記載の方法。
【請求項１３】
製造された前記網要素の各々が前記安全網（３００）の長手方向（Ｌ）に複数行（Ｒ）のロープ接合部（３０５，３０５’）を有し、前記安全網（３００）の長手方向（Ｌ）に対して直角に延びる横方向（Ｑ）に複数列（Ｓ）のロープ接合部（３０５，３０５’）を有するように、前記第１網要素（３０１）及び前記第２網要素（３０２）のロープ（３０４，３０４’）を案内し、
前記安全網（３００）の長手方向（Ｌ）に配列された複数行（Ｒ）を有する自己完結型の結合用網要素（３０３）と、前記安全網の横方向（Ｑ）に配列された複数列（Ｓ）の結合用ロープ接合部（３０９）とが得られるように、前記第１網要素（３０１）と前記第２網要素（３０２）との間に、前記少なくとも１つの結合用ロープ（３０８）を案内する、請求項１から１０までのいずれか１項に記載の方法。
【請求項１４】
特に雪崩、落石、倒れてくる木、泥滑動、土流からの保護のため、又は傾斜安定化のための安全網（１００，２００，３００）であって、
少なくとも第１網要素（１０１，２０１，３０１）と、
少なくとも第２網要素（１０２，２０２，３０２）と、
少なくとも１つの結合用網要素（１０３，２０３，３０３）と、から構成され、
ａ）前記第１網要素（１０１，２０１，３０１）は、
それぞれ少なくとも１つのロープ（１０４，２０４，３０４）から自己完結状態で個々に製造され、且つ、
それぞれ少なくとも２つのロープ部分（１０４ａ，２０４ａ，３０４ａ及び１０４ｂ，２０４ｂ，３０４ｂ）が交差する複数のロープ接合部（１０５，２０５，３０５）を有し、
ｂ）前記第２網要素（１０２，２０２，３０２）は、
それぞれ少なくとも１つのロープ（１０４’，２０４’，３０４’）から自己完結状態で個々に製造され、
それぞれ少なくとも２つのロープ部分（１０４ａ’，２０４ａ’，３０４ａ’及び１０４ｂ’，２０４ｂ’，３０４ｂ’）が交差する複数のロープ接合部（１０５’，２０５’，３０５’）を有し、且つ、
前記第１網要素（１０１，２０１，３０１）の第１網縁部（１０６，２０６，３０６）が前記第２網要素（１０２，２０２，３０２）の第２網縁部（１０６’，２０６’，３０６’）に面するように、前記第１網要素（１０１，２０１，３０１）に対して平行に、前記安全網（１００，２００，３００）の長手方向（Ｌ）で所定の間隔を置いて配置されており、
前記第１網要素（１０１，２０１，３０１）は、前記第１網縁部（１０６，２０６，３０６）内に配置された複数の第１ロープ縁部（１０７，２０７，３０７）を有しており、
前記第１ロープ縁部は、それぞれ２つのロープ接合部（１０５，２０５，３０５）の間で延在し、前記第２網縁部（１０６’，２０６’，３０６’）に面しており、
前記第２網要素（１０２，２０２，３０２）は、前記第２網縁部（１０６’，２０６’，３０６’）内に配置された複数の第２ロープ縁部（１０７’，２０７’，３０７’）を有し、
前記第２ロープ縁部は、それぞれ２つのロープ接合部（１０５’，２０５’，３０５’）の間で延在し、前記第１網縁部（１０６，２０６，３０６）に面しており、
ｃ）前記結合用網要素（１０３，２０３，３０３）は、
それぞれ少なくとも１つの結合用ロープ（１０８，２０８，３０８）から自己完結状態で製造され、
それぞれ少なくとも２つの結合用ロープ部分（１０８ａ，２０８ａ，３０８ａ及び１０８ｂ，２０８ｂ，３０８ｂ）が交差する複数の結合用ロープ接合部（１０９，２０９，３０９）を有し、
少なくとも１つの結合用ロープ（１０８，２０８，３０８）を用いて、前記第１網要素（１０１，２０１，３０１）の第１ロープ縁部（１０７，２０７，３０７）の少なくとも一部は、前記第１網要素（１０１，２０１，３０１）の前記第１ロープ縁部（１０７，２０７，３０７）に面する、前記第２網要素（１０２，２０２，３０２）の前記第２ロープ縁部（１０７’，２０７’，３０７’）の少なくとも一部に結合されている、安全網。
【請求項１５】
雪崩、落石、倒れてくる木、泥滑動、土流からの保護のため、又は傾斜安定化のための、請求項１４に記載の安全網（１００，２００，３００）の使用。
【請求項１６】
前記永久結合（１１２，２１２）は、クランプによって構築される、請求項６に記載の方法。
【請求項１７】
−前記ロープ（１０４，１０４’，２０４，２０４’，３０４，３０４’）の交差ロープ部分（１０４ａ，１０４ａ’，２０４ａ，２０４ａ’，３０４ａ，３０４ａ’及び１０４ｂ，１０４ｂ’，２０４ｂ，２０４ｂ’，３０４ｂ，３０４ｂ’）、
−前記ロープ接合部（１０５，１０５’，２０５，２０５’，３０５，３０５’）の少なくとも一部、及び／又は前記結合用ロープ（１０８，２０８，３０８）の交差ロープ部分（１０８ａ，１０８ｂ，２０８ａ，２０８ｂ，３０８ａ，３０８ｂ）、および
−前記結合用ロープ接合部（１０９，２０９，３０９）の少なくとも一部
は、スターラップクランプ及び／又はクロス・クランプ（１１３，１１４，２１３，２１４，３１３，３１４）によって結合される、請求項１から６のいずれか１項に記載の方法。